(57)【要約】【課題】内容物用紙Ｐ２に印刷された宛名を判読可能に両面印刷する。【解決手段】領域決定部１１９ａが窓枠領域Ｐ２ａの位置を決定し、画像抽出部１１９ｂが、封筒作成ジョブに含まれる裏面全体画像Ｄから窓枠領域Ｐ２ａの裏面に印刷される裏面画像Ｄ１を抽出し、判定部１１９ｃが、画像抽出部１１９ｂにより抽出された裏面画像における所定のドロップ数以上の画素の割合と、封筒作成ジョブにより指定された内容物の種類情報とに基づいて、窓枠領域Ｐ２ａに裏抜けが生じるか否かを判定し、推奨用紙決定部１１９ｄが、判定部１１９ｃにより裏抜けが生じると判定された場合に、種類情報の内容物うち、封筒作成ジョブにより設定された内容物用紙Ｐ２より厚いものを推奨用紙として決定する。【選択図】      図２
2019147356.tif 000002
【特許請求の範囲】
【請求項１】
封筒作成ジョブに基づいて印刷手段により窓付き封筒および内容物を印刷する印刷装置と、前記印刷装置により宛名が印刷された内容物を折り畳んで前記宛名が前記窓付き封筒の窓枠内となるように封入封緘する封入封緘装置とを備えた封書作成システムであって、
前記内容物を保持し、前記封筒作成ジョブに応じた内容物を前記印刷手段へ給紙する給紙手段と、
前記封筒作成ジョブに含まれる前記窓枠の位置情報および前記内容物の折り方情報に基づいて、前記内容物が前記窓枠内と重なる領域を決定する領域決定手段と、
前記封筒作成ジョブから前記領域決定手段により決定された領域の裏面に印刷される裏面画像を抽出する画像抽出手段と、
前記画像抽出手段により抽出された裏面画像における所定のドロップ数以上の画素の割合と、前記封筒作成ジョブにより指定された内容物の種類情報とに基づいて、前記領域に裏抜けが生じるか否かを判定する判定手段と、
前記判定手段により裏抜けが生じると判定された場合に、前記種類情報の内容物うち、前記封筒作成ジョブに指定された前記内容物より裏抜けが発生しにくい種類の内容物を推奨用紙として決定する推奨用紙決定手段と、
を備えたことを特徴とする封書作成システム。
【請求項２】
前記印刷手段は、複数色のインクによりカラー印刷可能であり、
前記判定手段は、さらに、前記封筒作成ジョブに含まれる前記裏面画像を印刷するインク色に基づいて、前記領域に裏抜けが生じるか否かを判定する
ことを特徴とする請求項１記載の封書作成システム。
【請求項３】
前記給紙手段は、前記推奨用紙決定手段により決定された推奨用紙に該当する種類の内容物を前記給紙トレイから前記印刷手段へ給紙する
ことを特徴とする請求項１または２記載の封書作成システム。
【発明の詳細な説明】
【技術分野】
【０００１】
本発明は、適切に宛名印刷を行う封書作成システムに関する。
【背景技術】
【０００２】
従来、封筒作成ジョブに基づいて封筒および内容物を印刷する印刷装置と、印刷装置により印刷された内容物を折り畳んで封入封緘する封入封緘装置とを備えた封書作成システムがある。
【０００３】
この封書作成システムでダイレクトメールを作成する場合、窓付き封筒が用いられることが多い。窓付き封筒には透明の窓が設けられており、この窓から内容物に印刷された配送先の宛名が見えるように、内容物が封入封緘される。
【０００４】
特許文献１には、内容物に対して適切に印刷するために、内容物に印刷するための文書データ毎の内容に応じて最も適切な内容物の用紙種類を選択して印刷させる技術が開示されている。
【先行技術文献】
【特許文献】
【０００５】
【特許文献１】特開２０１０−１７８０２８号公報
【発明の概要】
【発明が解決しようとする課題】
【０００６】
特許文献１の技術では、内容物に印刷するための文書データ毎の内容に応じて最も適切な内容物の用紙種類を選択して印刷させるが、裏抜けが考慮されていない。
【０００７】
そのため、文書データ毎の内容に基づいて薄紙が選択された場合、内容物の宛名の裏面に濃度の濃い画像が印刷されていると、この裏面の画像が裏抜けして宛名の判読が困難となる可能性があった。
【０００８】
本発明は、このような課題に鑑みてなされたもので、宛名を判読可能に両面印刷する封書作成システムを提供することを目的とする。
【課題を解決するための手段】
【０００９】
上記目的を達成するため、本発明に係る封書作成システムの第１の特徴は、
封筒作成ジョブに基づいて印刷手段により窓付き封筒および内容物を印刷する印刷装置と、前記印刷装置により宛名が印刷された内容物を折り畳んで前記宛名が前記窓付き封筒の窓枠内となるように封入封緘する封入封緘装置とを備えた封書作成システムであって、
前記内容物を保持し、前記封筒作成ジョブに応じた内容物を前記印刷手段へ給紙する給紙手段と、
前記封筒作成ジョブに含まれる前記窓枠の位置情報および前記内容物の折り方情報に基づいて、前記内容物が前記窓枠内と重なる領域を決定する領域決定手段と、
前記封筒作成ジョブから前記領域決定手段により決定された領域の裏面に印刷される裏面画像を抽出する画像抽出手段と、
前記画像抽出手段により抽出された裏面画像における所定のドロップ数以上の画素の割合と、前記封筒作成ジョブにより指定された内容物の種類情報とに基づいて、前記領域に裏抜けが生じるか否かを判定する判定手段と、
前記判定手段により裏抜けが生じると判定された場合に、前記種類情報の内容物うち、前記封筒作成ジョブに指定された前記内容物より裏抜けが発生しにくい種類の内容物を推奨用紙として決定する推奨用紙決定手段と、
を備えたことにある。
【発明の効果】
【００１０】
本発明に係る封書作成システムの第１の特徴によれば、宛名を判読可能に内容物を両面印刷する。
【図面の簡単な説明】
【００１１】
【図１】本発明の実施の形態に係る封書作成システムの構成を示す概略構成図である。
【図２】本発明の実施の形態に係る封書作成システムを模式的に示す機能構成図である。
【図３】窓付き封筒用紙及び内容物用紙を用いて、本発明の実施の形態に係る封書作成システムにより封書が作成される流れを説明した図である。
【図４】本実施の形態に係る封書作成システムが備える制御部の機能を説明した図である。
【図５】本発明の実施形態に係る封書作成システムの処理内容を示すフローチャートである。
【発明を実施するための形態】
【００１２】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１３】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１４】
［封書作成システムの基本構成］
本発明の実施の形態に係る封書作成システム１の基本構成について説明する。図１は、本発明の実施の形態に係る封書作成システム１の構成を示す概略構成図であり、図２は、実施の形態に係る封書作成システムを模式的に示す機能構成図である。
【００１５】
図１、図２に示すように、本実施の形態に係る封書作成システム１は、窓付き封筒用紙Ｐ１及び内容物用紙Ｐ２に印刷して排出する印刷装置２と、印刷装置２で印刷された窓付き封筒用紙Ｐ１から封筒を形成し、印刷装置２で印刷された内容物用紙Ｐ２を封筒に収納して封書Ｐ３を作成する封入封緘装置３とを備えている。
【００１６】
図３は、窓付き封筒用紙Ｐ１及び内容物用紙Ｐ２を用いて封書作成システム１により封書Ｐ３が作成される流れを説明した図である。
【００１７】
窓付き封筒用紙Ｐ１には、内容物用紙Ｐ２が見えるように透明な窓部Ｐ１ａが設けられている。窓付き封筒用紙Ｐ１は、折り畳み線Ｐ１ｂ，Ｐ１ｃで折り畳まれることにより封筒Ｐ１１（Ｐ１）が形成される。
【００１８】
内容物用紙Ｐ２は、折り畳み線Ｐ２ｂ，Ｐ２ｃで折り畳まれて封筒Ｐ１１（Ｐ１）内に封入される。内容物用紙Ｐ２には、窓部Ｐ１ａに重なる領域として窓枠領域Ｐ２ａが設けられている。この窓枠領域Ｐ２ａ内に宛名が印刷されることにより、窓部Ｐ１ａを介して外側から宛名を見ることができる。
【００１９】
内容物用紙Ｐ２の折り方としては、外三つ折りと内三つ折りがあり、ここでは外三つ折りの例を示している。外三つ折りは、所謂Ｚ折りともよばれ、折り済み内容物用紙Ｐ２１（Ｐ２）に示すように、内容物用紙Ｐ２の左上部に印刷された宛名が上部になるように折られる。
【００２０】
外三つ折りされた折り済み内容物用紙Ｐ２１（Ｐ２）は、封筒Ｐ１１（Ｐ１）内に封入され封緘されて、封書Ｐ３が作成される。
【００２１】
なお、ここでは、内容物用紙Ｐ２が外三つ折りされる例を示したが、内三つ折りされる場合には、内容物用紙Ｐ２の左中部、すなわち、折り畳み線Ｐ２ｂと折り畳み線Ｐ２ｃとに挟まれた領域の左側に宛名が印刷される。そして、内三つ折りされることにより、印刷された宛名が上部になる。
【００２２】
図１，図２に戻り、印刷装置２は、窓付き封筒用紙Ｐ１及び内容物用紙Ｐ２に印刷して排出する装置であり、各部を収納する筐体の内部又は側面等に給紙部１１１を備えている。
【００２３】
給紙部１１１は、窓付き封筒用紙Ｐ１が載置された第１給紙トレイ１１１ａと、それぞれ厚みが異なる内容物用紙Ｐ２が載置された第２給紙トレイ１１１ｂ〜１１１ｄとを有している。具体的には、第２給紙トレイ１１１ｂには厚紙で構成された内容物用紙Ｐ２が載置され、第２給紙トレイ１１１ｃには普通紙（厚紙と薄紙の中間の厚さの用紙）で構成された内容物用紙Ｐ２が載置され、第２給紙トレイ１１１ｄには薄紙で構成された内容物用紙Ｐ２が載置されている。
【００２４】
給紙部１１１それぞれには搬送経路１１３が接続されており、この搬送経路１１３上の複数個所に搬送ローラなどで構成された搬送部１１２が設けられている。搬送部１１２は、第１給紙トレイ１１１ａに載置された窓付き封筒用紙Ｐ１を１枚ずつ取り出し、搬送経路１１３上で搬送する。同様に、搬送部１１２は、第２給紙トレイ１１１ｂ〜１１１ｄに載置された内容物用紙Ｐ２を１枚ずつ取り出し、搬送経路１１３上で搬送する。
【００２５】
印刷装置２は、シアン（Ｃ）、ブラック（Ｋ）、マゼンタ（Ｍ）、イエロー（Ｙ）の各色のインクをそれぞれ吐出する４つのインクジェットヘッドＣ、Ｋ、Ｍ、Ｙからなる印刷部１１４を有している。搬送経路１１３上の印刷部１１４の上流には、検出部１１８が設けられており、搬送される窓付き封筒用紙Ｐ１や内容物用紙Ｐ２を検出する。
【００２６】
また、印刷装置２は、窓付き封筒用紙Ｐ１や内容物用紙Ｐ２を封入封緘装置３に排出する送出部１１５と、窓付き封筒用紙Ｐ１及び内容物用紙Ｐ２を印刷装置２外に排出する排紙部１１６と、搬送経路１１３を搬送されてきた内容物用紙Ｐ２を受け入れた後に逆行させて搬送経路１１３に戻して内容物用紙Ｐ２の上下を反転させる反転部１１７とを備えている。
【００２７】
封入封緘装置３は、図１及び図２に示すように、内容物折畳部１２１と、封筒形成部１２３と、封緘部１２６と、排出部１２７とを備えている。
【００２８】
内容物折畳部１２１は、印刷装置２から送られてきた印刷済みの内容物用紙Ｐ２を、封筒用紙枚分の枚数毎に集積して整合し、整合された内容物用紙を必要に応じて、外三つ折りまたは内三つ折りに折り畳む機構である。
【００２９】
封筒形成部１２３は、印刷装置２から送られてきた印刷済みの窓付き封筒用紙Ｐ１から封筒Ｐ１１を形成しつつ、内容物用紙Ｐ２を封筒Ｐ１１に収納するとともに、窓付き封筒用紙Ｐ１の所定位置に設けられた再湿糊に水を塗布し、窓付き封筒用紙Ｐ１を折り曲げつつ所定位置の対向面を接着させることで封筒Ｐ１１を形成する。具体的に封筒形成部１２３は、封筒となる窓付き封筒用紙Ｐ１を搬送しながら内容物用紙Ｐ２を包み込むように封入する。そして、水塗布処理部１２４で、内容物用紙Ｐ２を封入した窓付き封筒用紙Ｐ１に形成された再湿糊部に水塗布部１２４ａで水を塗布し、用紙折部１２５において水塗布後の窓付き封筒用紙Ｐ１を搬送しながら折り線に沿って所定の折り処理を施す。なお、封筒形成部１２３には折部１２２が接続されており、この折部１２２は４つ折り封筒（即ち、窓付き封筒用紙Ｐ１を３回折る場合）に使用する機構である。封筒が３つ折り封筒である場合には、折部１２２は使用せず、封筒形成部１２３で折りと封入を同時に行うこととなる。
【００３０】
封緘部１２６は、封筒形成部１２３で形成された、内容物用紙Ｐ２を収納した封筒Ｐ１１を封緘して封書Ｐ３を完成させる。封緘部１２６では、封筒の感圧接着剤同士を圧着することで封緘することもできる。排出部１２７は、封緘処理された封書Ｐ３を装置筐体外部まで上昇搬送させた後、排出トレイ１２７ａまで水平に排出搬送する。
【００３１】
封書作成システム１の印刷装置２には、封書作成システム１の各部を統括制御する制御部１１９が備えられている。
【００３２】
制御部１１９は、印刷装置２全体の動作を制御するとともに、封入封緘装置３全体の動作を制御する。制御部１１９は、ＣＰＵ、ＲＡＭ、ＲＯＭ、ハードディスク等を備えて構成される。制御部１１９には、操作パネル１２０が接続されている。
【００３３】
操作パネル１２０は、表示／入力パネル（図示しない）と、読み取りや印刷等を開始させるためのスタートキー、読み取りや印刷等を停止させるためのストップキー、印刷枚数等を入力するためのテンキー（いずれも図示せず）等の各種操作キーとを備え、ユーザ操作に基づく操作信号を制御部１１９に供給する。
【００３４】
制御部１１９は、封書作成用の印刷時において、封筒作成ジョブに基づき、窓付き封筒用紙Ｐ１及び内容物用紙Ｐ２を選択して給紙部１１１から給紙するよう制御する。封筒作成ジョブは、印刷画像データに加え、内容物用紙Ｐ２の枚数、内容物用紙Ｐ２の用紙厚を含む種類情報など印刷および封入封緘のための設定情報を含み、封書作成用印刷の際に外部の端末装置から印刷装置２に送信される。
【００３５】
さらに、制御部１１９は、内容物用紙Ｐ２の裏抜けを防止するように、印刷装置２および封入封緘装置３を制御する。具体的には、図２に示すように、領域決定部１１９ａと、画像抽出部１１９ｂと、判定部１１９ｃと、推奨用紙決定部１１９ｄとを備える。
【００３６】
図４は、本実施の形態に係る封書作成システム１が備える制御部１１９の機能を説明した図である。
【００３７】
領域決定部１１９ａが受信する封筒作成ジョブには、窓付き封筒用紙Ｐ１の窓部Ｐ１ａの位置を示す窓部位置情報と、内容物用紙Ｐ２の折り方（外三つ折りまたは内三つ折り）を示す折り方情報が含まれている。そこで、領域決定部１１９ａは、この窓部位置情報および折り方情報により、折り畳み線Ｐ２ｂ，Ｐ２ｃの位置と、内容物用紙Ｐ２が窓部Ｐ１ａ内と重なる領域である窓枠領域Ｐ２ａの位置を決定する。
【００３８】
この内容物用紙Ｐ２の窓枠領域Ｐ２ａ内には、宛名が印刷されることになる。ところが、窓枠領域Ｐ２ａの裏面に印刷された裏面画像が裏写りすると、裏写りした裏面画像と窓枠領域Ｐ２ａ内に印刷された宛名が重なって宛名が判読し難くなる。
【００３９】
そこで、画像抽出部１１９ｂは、封筒作成ジョブに含まれる内容物用紙Ｐ２の裏面に印刷する裏面全体画像Ｄから、領域決定部１１９ａにより決定された窓枠領域Ｐ２ａの裏面に印刷される裏面画像Ｄ１を抽出する。
【００４０】
判定部１１９ｃは、画像抽出部１１９ｂにより抽出された裏面画像D１における所定のドロップ数以上の画素の割合と、封筒作成ジョブにより指定された内容物用紙Ｐ２の種類情報に含まれる厚さとに基づいて、窓枠領域Ｐ２ａに裏抜けが生じるか否かを判定する。
【００４１】
具体的には、判定部１１９ｃは、画像抽出部１１９ｂにより抽出された裏面画像Ｄ１の全ての画素について、ドロップ数が所定のドロップ数閾値Ｔｈ１を超えたか否かを判定する。そして、判定部１１９ｃは、ドロップ数閾値Ｔｈ１を超えた画素数を算出し、裏面画像Ｄ１の全ての画素数に対するドロップ数閾値Ｔｈ１を超えた画素数の割合を画素数割合として算出する。
【００４２】
そして、判定部１１９ｃは、算出した画素数割合が所定の割合閾値Ｔｈ２を超えた場合に、窓枠領域Ｐ２ａに宛名判読に影響を及ぼす程度に裏抜けが生じると判定する。この割合閾値Ｔｈ２は、封筒作成ジョブに含まれる内容物用紙Ｐ２の種類情報の厚さが厚いほど大きくなるように予め定められている。
【００４３】
推奨用紙決定部１１９ｄは、判定部１１９ｃにより裏抜けが生じると判定された場合に、種類情報が示す第２給紙トレイ１１１ｂ〜１１１ｄに載置された厚みの異なる複数の内容物用紙Ｐ２のうち、封筒作成ジョブにより設定された内容物用紙Ｐ２より厚く、かつ封筒作成ジョブにより設定された内容物用紙Ｐ２に厚みに最も近いものを推奨用紙として決定する。例えば、封筒作成ジョブにより設定された内容物用紙Ｐ２が薄紙（第２給紙トレイ１１１ｄ）であった場合、厚紙（第２給紙トレイ１１１ｂ）、普通紙（第２給紙トレイ１１１ｃ）ともに薄紙（第２給紙トレイ１１１ｄ）より厚いが、普通紙（第２給紙トレイ１１１ｃ）の方が厚さが近い。そのため、推奨用紙決定部１１９ｄは、普通紙（第２給紙トレイ１１１ｃ）を推奨用紙として決定する。
【００４４】
なお、判定部１１９ｃが、第２給紙トレイ１１１ｂ〜１１１ｄに載置された厚みの異なる全ての内容物用紙Ｐ２について窓枠領域Ｐ２ａに裏抜けが生じるか否かを判定し、推奨用紙決定部１１９ｄが、判定部１１９ｃにより封筒作成ジョブにより設定された内容物用紙Ｐ２に裏抜けが生じると判定された場合に、裏抜けが生じないと判定され、かつ封筒作成ジョブにより設定された内容物用紙Ｐ２に厚みに最も近いものを推奨用紙として決定するようにしてもよい。
【００４５】
［作用］
次に、本発明の実施形態に係る封書作成システム１の作用について説明する。
【００４６】
図５は、本発明の実施形態に係る封書作成システム１の処理内容を示すフローチャートである。
【００４７】
制御部１１９が封筒作成ジョブを受信すると、領域決定部１１９ａは、封筒作成ジョブに含まれる窓部位置情報および折り方情報により、窓枠領域Ｐ２ａの位置を決定する（ステップＳ１０１）。
【００４８】
次に、画像抽出部１１９ｂは、封筒作成ジョブに含まれる内容物用紙Ｐ２の裏面に印刷する裏面全体画像Ｄから、領域決定部１１９ａにより決定された窓枠領域Ｐ２ａの裏面に印刷される裏面画像Ｄ１を抽出する（ステップＳ１０３）。
【００４９】
そして、判定部１１９ｃは、第２給紙トレイ１１１ｂ〜１１１ｄに載置された厚みの異なる全ての内容物用紙Ｐ２について、画像抽出部１１９ｂにより抽出された裏面画像における所定のドロップ数以上の画素の割合に基づいて、窓枠領域Ｐ２ａに裏抜けが生じるか否かを判定する（ステップＳ１０５）。
【００５０】
次に、判定部１１９ｃは、画像抽出部１１９ｂにより抽出された裏面画像における所定のドロップ数以上の画素の割合と、封筒作成ジョブにより指定された内容物用紙Ｐ２の種類情報に含まれる厚さとに基づいて、窓枠領域Ｐ２ａに裏抜けが生じるか否かを判定する（ステップＳ１０７）。
【００５１】
封筒作成ジョブにより指定された内容物用紙Ｐ２について裏抜けは生じないと判定された場合（ステップＳ１０７；ＮＯ）、この指定された内容物用紙Ｐ２が最もユーザの要望に合致したものであると推測できるので用紙変更することなく、印刷・封入封緘処理を実行する（ステップＳ１１７）。
【００５２】
その一方、封筒作成ジョブにより指定された内容物用紙Ｐ２について裏抜けが生じると判定された場合（ステップＳ１０７；ＹＥＳ）、推奨用紙決定部１１９ｄは、ステップＳ１０５において裏抜けが生じないと判定された内容物用紙Ｐ２の中で、封筒作成ジョブにより設定された内容物用紙Ｐ２に厚みに最も近いものを推奨用紙として決定する（ステップＳ１０９）。
【００５３】
そして、制御部１１９は、ステップＳ１０９において決定した推奨用紙に変更するか否かを問い合わせるメッセージを操作パネル１２０に表示する（ステップＳ１１１）。
【００５４】
推奨用紙に変更する操作が行われた場合（ステップＳ１１３；ＹＥＳ）、制御部１１９は、ステップＳ１０９において決定した推奨用紙に変更し（ステップＳ１１５）、変更した推奨用紙を内容物用紙Ｐ２として用いて、印刷・封入封緘処理を実行する（ステップＳ１１７）。
【００５５】
以上のように、本発明の実施形態に係る封書作成システム１によれば、領域決定部１１９ａが、封筒作成ジョブに含まれる窓部位置情報および折り方情報により、内容物用紙Ｐ２が窓部Ｐ１ａに重なる領域である窓枠領域Ｐ２ａの位置を決定し、画像抽出部１１９ｂが、封筒作成ジョブに含まれる内容物用紙Ｐ２の裏面に印刷する裏面全体画像Ｄから、領域決定部１１９ａにより決定された窓枠領域Ｐ２ａの裏面に印刷される裏面画像Ｄ１を抽出し、判定部１１９ｃが、画像抽出部１１９ｂにより抽出された裏面画像における所定のドロップ数以上の画素の割合と、封筒作成ジョブにより指定された内容物の種類情報とに基づいて、窓枠領域Ｐ２ａに裏抜けが生じるか否かを判定し、推奨用紙決定部１１９ｄが、判定部１１９ｃにより裏抜けが生じると判定された場合に、種類情報が示す第２給紙トレイ１１１ｂ〜１１１ｄに載置された厚みの異なる複数の内容物用紙Ｐ２のうち、封筒作成ジョブにより設定された内容物用紙Ｐ２より厚いものを推奨用紙として決定する。
【００５６】
これにより、裏面画像の裏抜けを防止できるので、内容物用紙Ｐ２に印刷された宛名を判読可能に両面印刷できる。
【００５７】
なお、判定部１１９ｃは、画像抽出部１１９ｂにより抽出された裏面画像における所定のドロップ数以上の画素の割合と、封筒作成ジョブにより指定された内容物の厚さとに基づいて、窓枠領域Ｐ２ａに裏抜けが生じるか否かを判定したが、これに限らない。内容物の厚さに替えて、または厚さに加えて、マット紙や光沢紙などの用紙種に基づいて窓枠領域Ｐ２ａに裏抜けが生じるか否かを判定するようにしてもよい。つまり、判定部１１９ｃは、画像抽出部１１９ｂにより抽出された裏面画像における所定のドロップ数以上の画素の割合と、封筒作成ジョブにより指定された内容物の種類（厚みおよび／または用紙種）とに基づいて、窓枠領域Ｐ２ａに裏抜けが生じるか否かを判定するようにしてもよい。
【００５８】
なお、上記のフローチャートでは、推奨用紙に変更する操作が行われた場合（ステップＳ１１３；ＹＥＳ）、制御部１１９は、ステップＳ１０９において決定した推奨用紙に変更したが（ステップＳ１１５）、これに限らない。具体的には、ステップＳ１１１およびＳ１１３の処理を省略し、裏抜けが生じると判定された場合（ステップＳ１０７；ＹＥＳ）、制御部１１９が、ステップＳ１０９において決定した推奨用紙に無条件で変更するようにしてもよい。これにより、印刷・封入封緘動作を一時停止することなく実行することになるので、生産性を高めることができる。
【００５９】
なお、本発明の実施形態に係る封書作成システム１では、判定部１１９ｃが、画像抽出部１１９ｂにより抽出された裏面画像Ｄ１の全ての画素について、ドロップ数が所定のドロップ数閾値Ｔｈ１を超えた画素数の割合を画素数割合として算出し、算出した画素数割合が所定の割合閾値Ｔｈ２を超えた場合に、窓枠領域Ｐ２ａに裏抜けが生じると判定した。
【００６０】
しかしながら、判定部１１９ｃは、さらに、封筒作成ジョブに含まれる裏面画像を印刷するインク色に基づいて、窓枠領域Ｐ２ａに裏抜けが生じるか否かを判定するようにしてもよい。具体的には、インク色（Ｃ，Ｍ，Ｙ，Ｋ）毎に、ドロップ数閾値Ｔｈ１（Ｔｈｃ１，Ｔｈｍ１，Ｔｈｙ１，Ｔｈｋ１）と、割合閾値Ｔｈ２（Ｔｈｃ２，Ｔｈｍ２，Ｔｈｙ２，Ｔｈｋ２）とを設定しておく。ここで、それぞれの閾値は、視認性の高いインクの方が低くなるように、例えば、Ｔｈｙ１＞Ｔｈｃ１＝Ｔｈｍ１＞Ｔｈｋ１となるように設定されている。
【００６１】
そして、判定部１１９ｃが、画像抽出部１１９ｂにより抽出された裏面画像Ｄ１の全ての画素について、インク色ごとに、ドロップ数が所定のドロップ数閾値Ｔｈ１（Ｔｈｃ１，Ｔｈｍ１，Ｔｈｙ１，Ｔｈｋ１）を超えた画素数の割合を画素数割合として算出し、算出した画素数割合が所定の割合閾値Ｔｈ２（Ｔｈｃ２，Ｔｈｍ２，Ｔｈｙ２，Ｔｈｋ２）を超えたか否かを判定し、インク色（Ｃ，Ｍ，Ｙ，Ｋ）のいずれか１色でも超えたと判定された場合に、窓枠領域Ｐ２ａに裏抜けが生じると判定する。
【００６２】
以上のように、判定部１１９ｃが、画像抽出部１１９ｂにより抽出された裏面画像における所定のドロップ数以上の画素の割合と、封筒作成ジョブにより指定された内容物の厚さと、封筒作成ジョブに含まれる裏面画像を印刷するインク色とに基づいて、領域に裏抜けが生じるか否かを判定する。
【００６３】
そのため、インク色ごとの裏抜けし易さを加味するので、より正確に領域に裏抜けが生じるか否かを判定することができ、内容物用紙Ｐ２に印刷された宛名を判読することができる。
【００６４】
（付記）
本出願は、以下の発明を開示する。
【００６５】
（付記１）
封筒作成ジョブに基づいて印刷手段により窓付き封筒および内容物を印刷する印刷装置と、前記印刷装置により宛名が印刷された内容物を折り畳んで前記宛名が前記窓付き封筒の窓枠内となるように封入封緘する封入封緘装置とを備えた封書作成システムであって、
前記内容物を保持し、前記封筒作成ジョブに応じた内容物を前記印刷手段へ給紙する給紙手段と、
前記封筒作成ジョブに含まれる前記窓枠の位置情報および前記内容物の折り方情報に基づいて、前記内容物が前記窓枠内と重なる領域を決定する領域決定手段と、
前記封筒作成ジョブから前記領域決定手段により決定された領域の裏面に印刷される裏面画像を抽出する画像抽出手段と、
前記画像抽出手段により抽出された裏面画像における所定のドロップ数以上の画素の割合と、前記封筒作成ジョブにより指定された内容物の種類情報とに基づいて、前記領域に裏抜けが生じるか否かを判定する判定手段と、
前記判定手段により裏抜けが生じると判定された場合に、前記種類情報の内容物うち、前記封筒作成ジョブに指定された前記内容物より裏抜けが発生しにくい種類の内容物を推奨用紙として決定する推奨用紙決定手段と、
を備えたことを特徴とする封書作成システム。
【００６６】
（付記２）
前記印刷手段は、複数色のインクによりカラー印刷可能であり、
前記判定手段は、さらに、前記封筒作成ジョブに含まれる前記裏面画像を印刷するインク色に基づいて、前記領域に裏抜けが生じるか否かを判定する
ことを特徴とする（付記１）記載の封書作成システム。
【００６７】
（付記３）
前記給紙手段は、前記推奨用紙決定手段により決定された推奨用紙に該当する種類の内容物を前記給紙トレイから前記印刷手段へ給紙する
ことを特徴とする（付記１）または（付記２）記載の封書作成システム。
【符号の説明】
【００６８】
１  封書作成システム
２  印刷装置
３  封入封緘装置
１１１  給紙部
１１１ａ  第１給紙トレイ
１１１ｂ，１１１ｃ，１１１ｄ  第２給紙トレイ
１１２  搬送部
１１３  搬送経路
１１４  印刷部
１１５  送出部
１１６  排紙部
１１７  反転部
１１８  検出部
１１９  制御部
１１９ａ  領域決定部
１１９ｂ  画像抽出部
１１９ｃ  判定部
１１９ｄ  推奨用紙決定部
１２０  操作パネル
１２１  内容物折畳部
１２２  折部
１２３  封筒形成部
１２４  水塗布処理部
１２４ａ  水塗布部
１２５  用紙折部
１２６  封緘部
１２７  排出部
１２７ａ  排出トレイ
【図１】
2019147356.tif 000003
【図２】
2019147356.tif 000004
【図３】
2019147356.tif 000005
【図４】
2019147356.tif 000006
【図５】
2019147356.tif 000007